【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
光ディスクに向けてレーザ光を出射するレンズをトラッキングエラー信号にオフセット信号を加えてトラッキング制御する光ディスク装置の制御方法であって、
前記光ディスク装置の所定部分が所定温度に達したとき、トラック中心と判断して追従しているレンズ位置と、トラック中心と判断して追従しているレンズ位置に対してトラッキング方向内周側に一定距離変位した位置と、トラック中心と判断して追従しているレンズ位置に対してトラッキング方向外周側に一定距離変位した位置とで記録し、前記記録したそれぞれの位置の記録品質を所定の記録品質評価指標に基づいて数値化し、前記数値化した値が最小であるレンズ位置を実際のトラック幅方向の中心と判断して、そのレンズ位置になるように前記オフセット信号を決定することを特徴とする光ディスク装置の制御方法。
【請求項２】
光ディスクに向けてレーザ光を出射するレンズと、
前記レンズを移動させるトラッキングサーボ制御手段と、
前記光ディスクの記録後の記録品質を所定の記録品質評価指標に基づき数値化する記録品質数値化手段と、
前記記録品質数値化手段により数値化された複数の値を比較する記録品質比較手段と、
トラッキングエラー信号にオフセット信号を加えて前記トラッキングサーボ制御手段を制御する制御手段と、を備え、
前記制御手段は、光ディスク装置の所定部分が所定温度に達したとき、前記トラッキングサーボ制御手段がトラック中心と判断して追従しているレンズ位置と、前記トラッキングサーボ制御手段がトラック中心と判断して追従しているレンズ位置に対してトラッキング方向内周側に一定距離変位した位置と、前記トラッキングサーボ制御手段がトラック中心と判断して追従しているレンズ位置に対してトラッキング方向外周側に一定距離変位した位置とで記録し、前記記録したそれぞれの位置の記録品質を数値化し、前記数値化した値が最小であるレンズ位置を実際のトラック幅方向の中心と判断して、そのレンズ位置になるように前記オフセット信号を決定することを特徴とする光ディスク装置。
【請求項３】
前記所定の記録品質評価指標は、エラーレート又はジッタの少なくとも一方であることを特徴とする請求項２記載の光ディスク装置。
【請求項４】
前記温度測定手段は、一定間隔のタイミングで温度測定をすることを特徴とする請求項２記載の光ディスク装置。
【請求項５】
前記制御手段は、前記光ディスクに残されている記録可能領域が所定容量以下の場合、前記トラッキングエラー信号に前記オフセット信号を加えないことを特徴とする請求項２記載の光ディスク装置。
【手続補正２】
【補正対象書類名】明細書
【補正対象項目名】００１７
【補正方法】変更
【補正の内容】
【００１７】
本発明は、上記課題を解決するためになされたものであって、光ディスクに向けてレーザ光を出射するレンズをトラッキングエラー信号にオフセット信号を加えてトラッキング制御する光ディスク装置の制御方法であって、光ディスク装置の所定部分が所定温度に達したとき、トラック中心と判断して追従しているレンズ位置と、トラック中心と判断して追従しているレンズ位置に対してトラッキング方向内周側に一定距離変位した位置と、トラック中心と判断して追従しているレンズ位置に対してトラッキング方向外周側に一定距離変位した位置とで記録し、記録したそれぞれの位置の記録品質を所定の記録品質評価指標に基づいて数値化し、数値化した値が最小であるレンズ位置を実際のトラック幅方向の中心と判断して、そのレンズ位置になるようにオフセット信号を決定することを特徴とする光ディスク装置の制御方法である。
【手続補正３】
【補正対象書類名】明細書
【補正対象項目名】００１８
【補正方法】変更
【補正の内容】
【００１８】
また本発明は、光ディスクに向けてレーザ光を出射するレンズと、レンズを移動させるトラッキングサーボ制御手段と、光ディスクの記録後の記録品質を所定の記録品質評価指標に基づき数値化する記録品質数値化手段と、記録品質数値化手段により数値化された複数の値を比較する記録品質比較手段と、トラッキングエラー信号にオフセット信号を加えてトラッキングサーボ制御手段を制御する制御手段と、を備え、制御手段は、光ディスク装置の所定部分が所定温度に達したとき、トラッキングサーボ制御手段がトラック中心と判断して追従しているレンズ位置と、トラッキングサーボ制御手段がトラック中心と判断して追従しているレンズ位置に対してトラッキング方向内周側に一定距離変位した位置と、トラッキングサーボ制御手段がトラック中心と判断して追従しているレンズ位置に対してトラッキング方向外周側に一定距離変位した位置とで記録し、記録したそれぞれの位置の記録品質を数値化し、数値化した値が最小であるレンズ位置を実際のトラック幅方向の中心と判断して、そのレンズ位置になるようにオフセット信号を決定することを特徴とする光ディスク装置である。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
本発明は上記構成により、光ディスク装置の所定部分が所定温度に達したとき、トラック中心と判断して追従しているレンズ位置と、トラック中心と判断して追従しているレンズ位置に対して意図的にトラッキング方向内周側とトラッキング方向外周側とに一定距離変位させた位置で記録し、記録したそれぞれの位置の記録品質を所定の記録品質評価指標に基づいて数値化し、数値化した値が最小であるレンズ位置を実際のトラック幅方向の中心と判断して、そのレンズ位置になるように前記オフセット信号を決定することによって、光ディスク装置内部の温度変化に起因して光学素子や検出信号を増幅するアンプなどの電気素子特性が変わり、トラッキングエラー信号生成の基になる光ピックアップからの信号が変化して光ビームスポットの中心とトラックの幅方向中心とにズレを生じても、それを補正することが可能となる。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
請求項１記載の発明は、光ディスク装置の所定部分が所定温度に達したとき、トラック中心と判断して追従しているレンズ位置と、トラック中心と判断して追従しているレンズ位置に対してトラッキング方向内周側に一定距離変位した位置と、トラック中心と判断して追従しているレンズ位置に対してトラッキング方向外周側に一定距離変位した位置とで記録し、記録したそれぞれの位置の記録品質を所定の記録品質評価指標に基づいて数値化し、数値化した値が最小であるレンズ位置を実際のトラック幅方向の中心と判断して、そのレンズ位置になるようにオフセット信号を決定することを特徴とする。これにより、光ディスク装置内部の温度変化に起因して光学素子や検出信号を増幅するアンプなどの電気素子特性が変わり、トラッキングエラー信号生成の基になる光ピックアップからの信号が変化して光ビームスポットの中心とトラックの幅方向中心とにズレを生じても、それを補正することが可能となる。また、光学素子、電気素子の温度変化が実使用上問題となる範囲を超えた場合にのみ、トラッキングエラー信号へのオフセット量を決定するため、演算手段またはその他処理手段への負荷を減らすことができる。その結果、温度変化による外部要因を受けない記録や再生をすることが可能な光ディスク装置のトラッキング制御方法を実現することができる。
【手続補正９】
【補正対象書類名】明細書
【補正対象項目名】００２５
【補正方法】変更
【補正の内容】
【００２５】
請求項２記載の発明は、光ディスクに向けてレーザ光を出射するレンズと、 レンズを移動させるトラッキングサーボ制御手段と、光ディスクの記録後の記録品質を所定の記録品質評価指標に基づき数値化する記録品質数値化手段と、記録品質数値化手段により数値化された複数の値を比較する記録品質比較手段と、トラッキングエラー信号にオフセット信号を加えてトラッキングサーボ制御手段を制御する制御手段と、を備え、制御手段は、光ディスク装置の所定部分が所定温度に達したとき、トラッキングサーボ制御手段がトラック中心と判断して追従しているレンズ位置と、トラッキングサーボ制御手段がトラック中心と判断して追従しているレンズ位置に対してトラッキング方向内周側に一定距離変位した位置と、トラッキングサーボ制御手段がトラック中心と判断して追従しているレンズ位置に対してトラッキング方向外周側に一定距離変位した位置とで記録し、記録したそれぞれの位置の記録品質を数値化し、数値化した値が最小であるレンズ位置を実際のトラック幅方向の中心と判断して、そのレンズ位置になるようにオフセット信号を決定することを特徴とする。これにより、光ディスク装置内部の温度変化に起因して光学素子や検出信号を増幅するアンプなどの電気素子特性が変わり、トラッキングエラー信号生成の基になる光ピックアップからの信号が変化して光ビームスポットの中心とトラックの幅方向中心とにズレを生じても、それを補正することが可能となる。また、光学素子、電気素子の温度変化が実使用上問題となる範囲を超えた場合にのみ、トラッキングエラー信号へのオフセット量を決定するため、演算手段またはその他処理手段への負荷を減らすことができる。その結果、温度変化による外部要因を受けない記録や再生をすることが可能な光ディスク装置のトラッキング制御方法を実現することができる。
【手続補正１０】
【補正対象書類名】明細書
【補正対象項目名】００２６
【補正方法】変更
【補正の内容】
【００２６】
請求項３記載の発明は、所定の記録品質評価指標が、エラーレート又はジッタの少なくとも一方であることを特徴とする。これにより、光ディスク装置内部の温度変化に起因して光学素子や検出信号を増幅するアンプなどの電気素子特性が変わり、トラッキングエラー信号生成の基になる光ピックアップからの信号が変化して光ビームスポットの中心とトラックの幅方向中心とにズレを生じても、それを補正することが可能となる。
【手続補正１１】
【補正対象書類名】明細書
【補正対象項目名】００２７
【補正方法】変更
【補正の内容】
【００２７】
請求項４記載の発明は、温度測定手段が、一定間隔のタイミングで温度測定をすることを特徴とする。これにより、光ディスク装置内の光学素子、電気素子の温度変化を定期的に監視することができ、また常時監視するより演算手段やその他処理手段への負荷を軽減することができる。
【手続補正１２】
【補正対象書類名】明細書
【補正対象項目名】００２８
【補正方法】変更
【補正の内容】
【００２８】
請求項５記載の発明は、光ディスクに残されている記録可能領域が所定容量以下の場合、トラッキングエラー信号にオフセット信号を加えないことを特徴とする。これにより、オフセット信号を決定しトラッキングエラー信号に加える処理に要する時間と、オフセット信号を加えずそのままのトラッキングエラー信号で最後まで記録する時間とを等価的に比較するので、時間的に有利な方法を選択することができる。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】